【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
複素座標平面における４行および４列において表すことのできる１６個の変調シンボルをそれぞれが有する第１の１６ＱＡＭコンスタレーションと第２の１６ＱＡＭコンスタレーションとを使用して、通信システムにおいてデータビットストリームを送信する方法であって、前記１６ＱＡＭコンスタレーションの変調シンボルのそれぞれが、４個のデータビットの組合せによって表すことができ、前記第１の１６ＱＡＭコンスタレーションおよび前記第２の１６ＱＡＭコンスタレーションのそれぞれが、以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記２つの連続するシンボル領域のそれぞれが、互いに隣接する２行によって形成される、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従い、  前記方法は、  前記データビットストリームからデータワードの系列を形成するステップと、  データワードのそれぞれを第１の１６ＱＡＭコンスタレーションの変調シンボルにマッピングして、前記マッピング規則に従う第１のダイバーシチ配置バージョンを得るステップと、  データワードのそれぞれを第２の１６ＱＡＭコンスタレーションの変調シンボルにマッピングして、前記マッピング規則に従う第２のダイバーシチ配置バージョンを得るステップと、  前記第１の１６ＱＡＭコンスタレーションの前記変調シンボルと、前記第２の１６ＱＡＭコンスタレーションの前記変調シンボルとを、送信ダイバーシチ方式に従って送信するステップと、  を含み、  前記第１の１６ＱＡＭコンスタレーションおよび前記第２の１６ＱＡＭコンスタレーションが、さらに以下の再配置規則、  ■２個の最も近い隣接シンボルを有する、前記第１の１６ＱＡＭコンスタレーションの変調シンボルを、前記第２の１６ＱＡＭコンスタレーションにおいて４個の最も近い隣接シンボルを有するように再配置する、  ■３個の最も近い隣接シンボルを有する、前記第１の１６ＱＡＭコンスタレーションの変調シンボルを、前記第２の１６ＱＡＭコンスタレーションにおいて３個の最も近い隣接シンボルを有するように再配置する、  ■４個の最も近い隣接シンボルを有する、前記第１の１６ＱＡＭコンスタレーションの変調シンボルを、前記第２の１６ＱＡＭコンスタレーションにおいて２個の最も近い隣接シンボルを有するように再配置する、  に従って得られる方法。
【請求項２】
前記第２の１６ＱＡＭコンスタレーションが、  ■前記第１の１６ＱＡＭコンスタレーションにおいてハミング距離１および２乗ユークリッド距離４Ｄを有する変調シンボルを、前記第２の１６ＱＡＭコンスタレーションにおいて２乗ユークリッド距離１６Ｄを有する変調シンボルに再配置する（またはこの逆）ステップと、  ■前記第１の１６ＱＡＭコンスタレーションにおいてハミング距離２および２乗ユークリッド距離４Ｄを有する変調シンボルを、前記第２の１６ＱＡＭコンスタレーションにおいて２乗ユークリッド距離３６Ｄを有する変調シンボルに再配置する（またはこの逆）ステップと、  ■前記第１の１６ＱＡＭコンスタレーションにおいてハミング距離２および２乗ユークリッド距離８Ｄを有する変調シンボルを、前記第２の１６ＱＡＭコンスタレーションにおいて２乗ユークリッド距離３２Ｄを有する変調シンボルに再配置する（またはこの逆）ステップと、  ■前記第１の１６ＱＡＭコンスタレーションにおいてハミング距離２および２乗ユークリッド距離２０Ｄを有する変調シンボルを、前記第２の１６ＱＡＭコンスタレーションにおいて２乗ユークリッド距離２０Ｄを有する変調シンボルに再配置するステップと、  ■前記第１の１６ＱＡＭコンスタレーションにおいてハミング距離３および２乗ユークリッド距離８Ｄを有する変調シンボルを、前記第２の１６ＱＡＭコンスタレーションにおいて２乗ユークリッド距離５２Ｄを有する変調シンボルに再配置する（またはこの逆）ステップと、  ■前記第１の１６ＱＡＭコンスタレーションにおいてハミング距離３および２乗ユークリッド距離２０Ｄを有する変調シンボルを、前記第２の１６ＱＡＭコンスタレーションにおいて２乗ユークリッド距離４０Ｄを有する変調シンボルに再配置するステップ（またはこの逆）と、  ■前記第１の１６ＱＡＭコンスタレーションにおいてハミング距離４および２乗ユークリッド距離８Ｄを有する変調シンボルを、前記第２の１６ＱＡＭコンスタレーションにおいて２乗ユークリッド距離７２Ｄを有する変調シンボルに再配置する（またはこの逆）ステップと、  ■前記第１の１６ＱＡＭコンスタレーションにおいてハミング距離４および２乗ユークリッド距離４０Ｄを有する変調シンボルを、前記第２の１６ＱＡＭコンスタレーションにおいて２乗ユークリッド距離４０Ｄを有する変調シンボルに再配置するステップと、  によって得られる、請求項１に記載の方法。
【請求項３】
前記複素平面が４つの象限を備え、前記第１の１６ＱＡＭコンスタレーションおよび前記第２の１６ＱＡＭコンスタレーションが従う前記マッピング規則が、以下の基準、  最小２乗ユークリッド距離を有する一象限内の変調シンボル間のハミング距離が１である、  最小２乗ユークリッド距離を有する隣接象限内の変調シンボル間のハミング距離が２である、  前記複素座標平面の原点に対して互いに正反対である変調シンボル間のハミング距離が４である、  を満たす、請求項１または請求項２に記載の方法。
【請求項４】
前記最小２乗ユークリッド距離よりも大きい２乗ユークリッド距離または前記最小２乗ユークリッド距離の２倍の平方根に等しい２乗ユークリッド距離を有する一象限内の変調シンボルのハミング距離が２である、請求項３に記載の方法。
【請求項５】
前記最小２乗ユークリッド距離よりも大きい２乗ユークリッド距離または前記最小２乗ユークリッド距離の２倍の平方根に等しい２乗ユークリッド距離を有する隣接象限内の変調シンボル間のハミング距離が３である、請求項３または請求項４に記載の方法。
【請求項６】
前記データワードを形成する前に前記データビットストリームを符号化するステップをさらに含む、請求項１から請求項５のいずれかに記載の方法。
【請求項７】
前記第１の１６ＱＡＭコンスタレーションにマッピングされる前記変調シンボルと、前記第２の１６ＱＡＭコンスタレーションにマッピングされる前記変調シンボルとが、互いに並列に送信される、請求項１から請求項６のいずれかに記載の方法。
【請求項８】
前記第１の１６ＱＡＭコンスタレーションにマッピングされる前記変調シンボルと、前記第２の１６ＱＡＭコンスタレーションにマッピングされる前記変調シンボルとが、相異なる時刻に送信される、請求項１から請求項６のいずれかに記載の方法。
【請求項９】
通信システムにおいてデータビットストリームを受信する方法であって、前記データビットストリームが、送信装置によって送信ダイバーシチを使用して送信され、かつ、それぞれが１６個の変調シンボルを有する第１の１６ＱＡＭコンスタレーションおよび第２の１６ＱＡＭコンスタレーションを使用して前記送信装置によって変調され、前記第１の１６ＱＡＭコンスタレーションおよび前記第２の１６ＱＡＭコンスタレーションが、複素座標平面における４行および４列において表すことができ、前記第１の１６ＱＡＭコンスタレーションおよび前記第２の１６ＱＡＭコンスタレーションの変調シンボルのそれぞれが、４個のデータビットの組合せによって表すことができ、前記１６ＱＡＭコンスタレーションのそれぞれが、以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記連続するシンボル領域のそれぞれが、互いに隣接する２行によって形成され、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成され、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成され、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従い、  前記方法は、  前記第１の１６ＱＡＭコンスタレーションを使用して送信された、前記データビットストリームのデータワードを含む送信信号を受信するステップと、  前記第２の１６ＱＡＭコンスタレーションを使用して送信された、前記データビットストリームのデータワードを含む送信信号を受信するステップと、  それぞれ、前記第１の１６ＱＡＭコンスタレーションおよび前記第２の１６ＱＡＭコンスタレーションを使用して４個のデータビットのデータワードによって表される変調シンボルを検出することによって前記送信信号を復調し、それによって、受信した変調シンボルのデータビットのそれぞれに、前記受信した変調シンボルの前記各ビットの前記論理値の確率を示すメトリック、または、前記受信した変調シンボルの前記各ビットの前記論理値を示すメトリックを関連付けるステップと、  前記送信装置によって前記第１の１６ＱＡＭコンスタレーションにマッピングされる前記受信した変調シンボルのデータビットのそれぞれを、前記送信装置によって前記第２の１６ＱＡＭコンスタレーションにマッピングされる、前記受信した変調シンボルのデータビットに関連付けるステップと、  ��記第１の１６ＱＡＭコンスタレーションにマッピングされるデータビットのそれぞれを、前記各データビットの前記メトリックと、前記関連付けられるデータビットの前記メトリックとに基づいて、前記第２の１６ＱＡＭコンスタレーションにマッピングされる関連付けられるデータビットと合成して、前記データビットストリームを再構築するステップと、  を含み、  前記受信した変調シンボルの中のデータビットの前記関連付けが、以下の関連付け規則、  ■前記第１の１６ＱＡＭコンスタレーションにおいて２個の最も近い隣接シンボルを有する、前記第１の１６ＱＡＭコンスタレーションの変調シンボル、のデータビットのそれぞれを、前記第２の１６ＱＡＭコンスタレーションにおいて４個の最も近い隣接シンボルを有する、前記第２の１６ＱＡＭコンスタレーションの変調シンボル、における前記各データビットに関連付ける、  ■前記第１の１６ＱＡＭコンスタレーションにおいて３個の最も近い隣接シンボルを有する、前記第１の１６ＱＡＭコンスタレーションの変調シンボル、のデータビットのそれぞれを、前記第２の１６ＱＡＭコンスタレーションにおいて３個の最も近い隣接シンボルを有する、前記第２の１６ＱＡＭコンスタレーションの変調シンボル、における前記各データビットに関連付ける、  ■前記第１の１６ＱＡＭコンスタレーションにおいて４個の最も近い隣接シンボルを有する、前記第１の１６ＱＡＭコンスタレーションの変調シンボル、のデータビットのそれぞれを、前記第２の１６ＱＡＭコンスタレーションにおいて２個の最も近い隣接シンボルを有する、前記第２の１６ＱＡＭコンスタレーションの変調シンボル、における前記各データビットに関連付ける、  に基づく方法。
【請求項１０】
複素座標平面における４行および４列において表すことのできる１６個の変調シンボルをそれぞれが有する第１の１６ＱＡＭコンスタレーションおよび第２の１６ＱＡＭコンスタレーションを使用して、通信システムにおいてデータビットストリームを送信する送信装置（３１０１）であって、前記１６ＱＡＭコンスタレーションの変調シンボルのそれぞれが、４個のデータビットの組合せによって表すことができ、前記装置が、前記第１の１６ＱＡＭコンスタレーションおよび前記第２の１６ＱＡＭコンスタレーションのそれぞれの以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記２つの連続するシンボル領域のそれぞれが、互いに隣接する２行によって形成される、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従うように構成され、  前記データビットストリームからデータワードの系列を形成する処理手段と、  データワードのそれぞれを第１の１６ＱＡＭコンスタレーションの変調シンボルにマッピングして、前記マッピング規則に従う第１のダイバーシチ配置バージョンを得るシンボルマッピング部（３１０５）と、  データワードのそれぞれを第２の１６ＱＡＭコンスタレーションの変調シンボルにマッピングして、前記マッピング規則に従う第２のダイバーシチ配置バージョンを得るシンボルマッピング部（３１０６）と、  以下の再配置規則、  ■２個の最も近い隣接シンボルを有する、前記第１の１６ＱＡＭコンスタレーションの変調シンボルを、前記第２の１６ＱＡＭコンスタレーションにおいて４個の最も近い隣接シンボルを有するように再配置する、  ■３個の最も近い隣接シンボルを有する、前記第１の１６ＱＡＭコンスタレーションの変調シンボルを、前記第２の１６ＱＡＭコンスタレーションにおいて３個の最も近い隣接シンボルを有するように再配置する、  ■４個の最も近い隣接シンボルを有する、前記第１の１６ＱＡＭコンスタレーションの変調シンボルを、前記第２の１６ＱＡＭコンスタレーションにおいて２個の最も近い隣接シンボルを有するように再配置する、  に従うことによって、前記第１の１６ＱＡＭコンスタレーションおよび前記第２の１６ＱＡＭコンスタレーショ���を得るコンスタレーション再配置手段と、  前記第１の１６ＱＡＭコンスタレーションの前記変調シンボルと、前記第２の１６ＱＡＭコンスタレーションの前記変調シンボルとを、送信ダイバーシチ方式に従って送信する送信器と、  を備える送信装置（３１０１）。
【請求項１１】
請求項２から請求項８のいずれかに記載の方法のステップを実行するように構成される手段をさらに備える、請求項１０に記載の送信装置。
【請求項１２】
通信システムにおいてデータビットストリームを受信する受信装置（３１１０）であって、前記データビットストリームが、送信ダイバーシチを使用して送信装置によって送信され、かつ、それぞれが１６個の変調シンボルを有する第１の１６ＱＡＭコンスタレーションおよび第２の１６ＱＡＭコンスタレーションを使用して前記送信装置によって変調され、前記第１の１６ＱＡＭコンスタレーションおよび前記第２の１６ＱＡＭコンスタレーションが、複素座標平面における４行および４列において表すことができ、前記第１の１６ＱＡＭコンスタレーションおよび前記第２の１６ＱＡＭコンスタレーションの変調シンボルのそれぞれが、４個のデータビットの組合せによって表すことができ、前記１６ＱＡＭコンスタレーションのそれぞれが、以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記連続するシンボル領域のそれぞれが、互いに隣接する２行によって形成される、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従い、  前記装置は、  前記第１の１６ＱＡＭコンスタレーションを使用して送信された、前記データビットストリームのデータワードを含む送信信号を受信し、前記第２の１６ＱＡＭコンスタレーションを使用して送信された、前記データビットストリームのデータワードを含む送信信号を受信する受信器（３１１１）と、  それぞれ、前記第１の１６ＱＡＭコンスタレーションおよび前記第２の１６ＱＡＭコンスタレーションを使用して４個のデータビットのデータワードによって表される変調シンボルを検出することによって前記送信信号を復調し、それによって、受信した変調シンボルのデータビットのそれぞれに、前記受信した変調シンボルの前記各ビットの前記論理値の確率を示すメトリック、または、前記受信した変調シンボルの前記各ビットの前記論理値を示すメトリックを関連付ける復調器（３１１２，３１１３）と、  前記送信装置によって前記第１の１６ＱＡＭコンスタレーションにマッピングされる前記受信した変調シンボルのデータビットのそれぞれを、前記送信装置によって前記第２の１６ＱＡＭコンスタレーションにマッピングされる前記受信した変調シンボルのデータビットに関連付け、前記第１の１６ＱＡＭコンスタレーションにマッピングされるデータビットのそれぞれを、前記各データビットの前記メトリックと、前記関連付けられるデータビットの前記メトリックとに基づいて、前記第２の１６ＱＡＭコンスタレーションにマッピングされる関連付けられるデータビットと合成して、前記データビットストリームを再構築するデータビットストリーム再構築手段（３１１４）と、  を備え、  前記データビットストリーム再構築手段（３１１４）が、前記受信した変調シンボルの中のデータビットの前記関連付けを、以下の関連付け規則、  ■前記第１の１６ＱＡＭコンスタレーションにおいて２個の最も近い隣接シンボルを有する、前記第１の１６ＱＡＭコンスタレーションの変調シンボル、のデータビットのそれぞれを、前記第２の１６ＱＡＭコンスタレーションにおいて４個の最も近い隣接シンボルを有する、前記第２の１６ＱＡＭコンスタレーションの変調シンボル、における前記各データビットに関連付ける、  ■前記第１の１６ＱＡＭコンスタレーションにおいて３個の最も近い隣接シンボルを有する、前記第１の１６ＱＡＭコンスタレーションの変調シンボル、のデータビットのそれぞれを、前記第２の１６ＱＡＭコンスタレーションにおいて３個の最も近い隣接シンボルを有する、前記第２の１６ＱＡＭコンスタレーションの変調シンボル、における前記各データビットに関連付ける、  ■前記第１の１６ＱＡＭコンスタレーションにおいて４個の最も近い隣接シンボルを有する、前記第１の１６ＱＡＭコンスタレーションの変調シンボル、のデータビットのそれぞれを、前記第２の１６ＱＡＭコンスタレーションにおいて２個の最も近い隣接シンボルを有する、前記第２の１６ＱＡＭコンスタレーションの変調シンボル、における前記各データビットに関連付ける、  に基づいて行うように構成される受信装置（３１１０）。
【請求項１３】
命令を格納するコンピュータ可読媒体であって、前記命令が送信装置のプロセッサによって実行されることに起因して、前記送信装置が、複素座標平面における４行および４列において表すことのできる１６個の変調シンボルをそれぞれが有する第１の１６ＱＡＭコンスタレーションと第２の１６ＱＡＭコンスタレーションとを使用して、通信システムにおいてデータビットストリームを送信し、前記１６ＱＡＭコンスタレーションの変調シンボルのそれぞれが、４個のデータビットの組合せによって表すことができ、前記第１の１６ＱＡＭコンスタレーションおよび前記第２の１６ＱＡＭコンスタレーションのそれぞれが、以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記２つの連続するシンボル領域のそれぞれが、互いに隣接する２行によって形成される、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従い、  前記命令に起因して、前記送信装置が、  前記データビットストリームからデータワードの系列を形成するステップと、  データワードのそれぞれを第１の１６ＱＡＭコンスタレーションの変調シンボルにマッピングして、前記マッピング規則に従う第１のダイバーシチ配置バージョンを得るステップと、  データワードのそれぞれを第２の１６ＱＡＭコンスタレーションの変調シンボルにマッピングして、前記マッピング規則に従う第２のダイバーシチ配置バージョンを得るステップと、  前記第１の１６ＱＡＭコンスタレーションの前記変調シンボルと、前記第２の１６ＱＡＭコンスタレーションの前記変調シンボルとを、送信ダイバーシチ方式に従って送信するステップと、  によって、データビットストリームを送信し、  前記第１の１６ＱＡＭコンスタレーションおよび前記第２の１６ＱＡＭコンスタレーションが、さらに以下の再配置規則、  ■２個の最も近い隣接シンボルを有する、前記第１の１６ＱＡＭコンスタレーションの変調シンボルを、前記第２の１６ＱＡＭコンスタレーションにおいて４個の最も近い隣接シンボルを有するように再配置する、  ■３個の最も近い隣接シンボルを有する、前記第１の１６ＱＡＭコンスタレーションの変調シンボルを、前記第２の１６ＱＡＭコンスタ��ーションにおいて３個の最も近い隣接シンボルを有するように再配置する、  ■４個の最も近い隣接シンボルを有する、前記第１の１６ＱＡＭコンスタレーションの変調シンボルを、前記第２の１６ＱＡＭコンスタレーションにおいて２個の最も近い隣接シンボルを有するように再配置する、  に従って得られるコンピュータ可読媒体。
【請求項１４】
前記送信装置の前記プロセッサによって実行されることに起因して、前記送信装置が、請求項２から請求項８のいずれかに記載の前記方法のステップを実行する命令をさらに格納する、請求項１３に記載のコンピュータ可読媒体。
【請求項１５】
命令を格納するコンピュータ可読媒体であって、前記命令が受信装置によって実行されることに起因して、前記受信装置が、通信システムにおいてデータビットストリームを受信し、前記データビットストリームが、前記送信装置によって送信ダイバーシチを使用して送信され、かつ、それぞれが１６個の変調シンボルを有する第１の１６ＱＡＭコンスタレーションおよび第２の１６ＱＡＭコンスタレーションを使用して前記送信装置によって変調され、前記第１の１６ＱＡＭコンスタレーションおよび前記第２の１６ＱＡＭコンスタレーションが、複素座標平面における４行および４列において表すことができ、前記第１の１６ＱＡＭコンスタレーションおよび前記第２の１６ＱＡＭコンスタレーションの変調シンボルのそれぞれが、４個のデータビットの組合せによって表すことができ、前記１６ＱＡＭコンスタレーションのそれぞれが、以下のマッピング規則、  ■変調シンボルを表す前記４個のデータビットのうちの第１データビットが、その論理値に基づいて、前記１６ＱＡＭコンスタレーションの２つの連続するシンボル領域のうちの一方を選択し、前記連続するシンボル領域のそれぞれが、互いに隣接する２行によって形成される、  ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、  ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、  ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、  に従い、  前記命令に起因して、前記受信装置が、  前記第１の１６ＱＡＭコンスタレーションを使用して送信された、前記データビットストリームのデータワードを含む送信信号を受信するステップと、  前記第２の１６ＱＡＭコンスタレーションを使用して送信された、前記データビットストリームのデータワードを含む送信信号を受信するステップと、  それぞれ、前記第１の１６ＱＡＭコンスタレーションおよび前記第２の１６ＱＡＭコンスタレーションを使用して４個のデータビットのデータワードによって表される変調シンボルを検出することによって前記送信信号を復調し、それによって、受信した変調シンボルのデータビットのそれぞれに、前記受信した変調シンボルの前記各ビットの前記論理値の確率を示すメトリック、または、前記受信した変調シンボルの前記各ビットの前記論理値を示すメトリックを関連付けるステップと、  前記送信装置によって前記第１の１６ＱＡＭコンスタレーションにマッピングされる前記受信した変調シンボルのデータビットのそれぞれを、前記送信装���によって前記第２の１６ＱＡＭコンスタレーションにマッピングされる、前記受信した変調シンボルのデータビットに関連付けるステップと、  前記第１の１６ＱＡＭコンスタレーションにマッピングされるデータビットのそれぞれを、前記各データビットの前記メトリックと、前記関連付けられるデータビットの前記メトリックとに基づいて、前記第２の１６ＱＡＭコンスタレーションにマッピングされる関連付けられるデータビットと合成して、前記データビットストリームを再構築するステップと、  によって、前記データビットストリームを受信し、  前記受信した変調シンボルの中のデータビットの前記関連付けが、以下の関連付け規則、  ■前記第１の１６ＱＡＭコンスタレーションにおいて２個の最も近い隣接シンボルを有する、前記第１の１６ＱＡＭコンスタレーションの変調シンボル、のデータビットのそれぞれを、前記第２の１６ＱＡＭコンスタレーションにおいて４個の最も近い隣接シンボルを有する、前記第２の１６ＱＡＭコンスタレーションの変調シンボル、における前記各データビットに関連付ける、  ■前記第１の１６ＱＡＭコンスタレーションにおいて３個の最も近い隣接シンボルを有する、前記第１の１６ＱＡＭコンスタレーションの変調シンボル、のデータビットのそれぞれを、前記第２の１６ＱＡＭコンスタレーションにおいて３個の最も近い隣接シンボルを有する、前記第２の１６ＱＡＭコンスタレーションの変調シンボル、における前記各データビットに関連付ける、  ■前記第１の１６ＱＡＭコンスタレーションにおいて４個の最も近い隣接シンボルを有する、前記第１の１６ＱＡＭコンスタレーションの変調シンボル、のデータビットのそれぞれを、前記第２の１６ＱＡＭコンスタレーションにおいて２個の最も近い隣接シンボルを有する、前記第２の１６ＱＡＭコンスタレーションの変調シンボル、における前記各データビットに関連付ける、  に基づくコンピュータ可読媒体。
【請求項１６】
複素座標平面における４行および４列において表すことのできる１６個の変調シンボルをそれぞれが有する第１の１６ＱＡＭコンスタレーションと第２の１６ＱＡＭコンスタレーションとを使用して、通信システムにおいてデータビットストリームを送信する方法であって、前記１６ＱＡＭコンスタレーションの変調シンボルのそれぞれが、４個のデータビットの組合せによって表すことができ、前記第１の１６ＱＡＭコンスタレーションおよび前記第２の１６ＱＡＭコンスタレーションのそれぞれが、以下のマッピング規則、 ■変調シンボルを表す前記４個のデータビットのうちの第１データビットが、その論理値に基づいて、前記１６ＱＡＭコンスタレーションの２つの連続するシンボル領域のうちの一方を選択し、前記２つの連続するシンボル領域のそれぞれが、互いに隣接する２行によって形成される、 ■当該変調シンボルを表す前記４個のデータビットのうちの第２データビットが、その論理値に基づいて、前記１６ＱＡＭコンスタレーションの２つの連続するシンボル領域のうちの一方を選択し、前記２つの連続するシンボル領域のそれぞれが、互いに隣接する２列によって形成される、 ■当該変調シンボルを表す前記４個のデータビットのうちの第３データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２行によって形成される、 ■当該変調シンボルを表す前記４個のデータビットのうちの第４データビットが、その論理値に基づいて、前記１６ＱＡＭコンスタレーションの２つの連続しないシンボル領域のうちの一方を選択し、前記２つの連続しないシンボル領域のそれぞれが、互いに隣接しない２列によって形成される、 に従い、 前記データビットストリームからデータワードの系列を形成するステップと、 データワードのそれぞれを第１の１６ＱＡＭコンスタレーションの変調シンボルにマッピングして、前記マッピング規則に従う第１のダイバーシチ配置バージョンを得るステップと、 データワードのそれぞれを第２の１６ＱＡＭコンスタレーションの変調シンボルにマッピングして、前記マッピング規則に従う第２のダイバーシチ配置バージョンを得るステップと、 前記第１の１６ＱＡＭコンスタレーションの前記変調シンボルと、前記第２の１６ＱＡＭコンスタレーションの前記変調シンボルとを、送信ダイバーシチ方式に従って送信するステップと、 を含む方法。